(57)【要約】【課題】芳香剤組成物自体の意匠性を高めて、これを収める容器とともにインテリアとしての装飾性をさらに高めることができる芳香剤組成物および芳香材を提供すること。【解決手段】水および／またはアルコール、または石油系溶剤を主剤とする溶媒中に、香料および蛍光増白染料を配合したことを特徴とした。【選択図】無し【特許請求の範囲】
【請求項１】
水および／またはアルコール、または石油系溶剤を主剤とする溶媒中に、香料および蛍光増白染料を配合してなる芳香剤組成物。
【請求項２】
溶媒中に、蛍光増白染料が０．０００１〜５重量％の割合で配合されていることを特徴とする請求項１記載の芳香剤組成物。
【請求項３】
溶媒中に、さらに着色剤を配合したことを特徴とする請求項１または２記載の芳香剤組成物。
【請求項４】
溶媒中に、さらにゲル化剤を配合したことを特徴とする請求項１〜３のいずれかに記載の芳香剤組成物。
【請求項５】
請求項１〜４のいずれかに記載の芳香剤組成物を基材表面または内部に固定したことを特徴とする芳香材。
【発明の詳細な説明】
【０００１】
【発明の属する技術分野】
本発明は、自動車、屋内、トイレなどに置かれて芳香を漂わせる芳香剤組成物および芳香材に関する。詳細には当該芳香剤組成物に当たる光の強弱、照射角度によって、当該芳香剤組成物の色が変化するようにした芳香剤組成物および芳香材に関する。
【０００２】
【従来の技術及び発明が解決しようとする課題】
芳香剤組成物は、容器に収納されて、自動車、屋内、トイレなどに置かれるので、芳香性能だけではなく、インテリアとしての装飾性も求められている。そこで、従来の芳香剤組成物では、これを収納する容器表面に凹凸を形成したり、着色したりするなど、容器に装飾を施して意匠性を高めたものが提案されている。しかし、芳香剤組成物自体は、着色される程度であった。
【０００３】
つまり、従来の芳香剤組成物は、着色剤によって様々な色に着色されてはいたものの、その色は日向も日陰も、雨の日も晴れの日も変化がなく、それ自体は意匠性に乏しいものであった。
【０００４】
本発明は、芳香剤組成物自体の意匠性を高めて、これを収める容器とともにインテリアとしての装飾性をさらに高めることができる芳香剤組成物および芳香材を提供することを目的とするものである。
【０００５】
【課題を解決するための手段】
上記目的を達成するため、請求項１記載の発明は、水および／またはアルコール、または石油系溶剤を主剤とする溶媒中に、香料および蛍光増白染料を配合してなる芳香剤組成物をその要旨とした。
【０００６】
請求項２記載の発明は、請求項１記載の溶媒中に、蛍光増白染料が０．０００１〜５重量％の割合で配合されていることを特徴とする芳香剤組成物をその要旨とした。
【０００７】
請求項３記載の発明は、請求項１または２記載の溶媒中に、さらに着色剤を配合したことを特徴とする芳香剤組成物をその要旨とした。
【０００８】
請求項４記載の発明は、請求項１〜３のいずれかに記載の溶媒中に、さらにゲル化剤を配合したことを特徴とする芳香剤組成物をその要旨とした。
【０００９】
請求項５記載の発明は、請求項１〜４のいずれかに記載の芳香剤組成物を基材表面または内部に固定したことを特徴とする芳香材をその要旨とした。
【００１０】
【発明の実施の形態】
以下、本発明の芳香剤組成物または芳香材を更に詳しく説明する。本発明の芳香剤組成物は、液状であって、溶媒として水および／またはアルコール、または石油系溶剤を主剤とするものが使用されている。アルコールとしては、メチルアルコール、エチルアルコール、プロピルアルコール、イソプロピルアルコール、ブチルアルコール、イソブチルアルコールなどの低級アルコール、エチレングリコール、プロピレングリコール、イソプロピレングリコール、グリコールエーテル類などのグリコール類を使用できる。そして、水または上記アルコールから選ばれた１種若しくは２種以上の混合物を溶媒とし、あるいは水にアルコールを加えて溶媒とし、これに香料および蛍光増白染料を配合することで芳香剤組成物が構成されている。また、溶媒としては、上記水および／またはアルコールの他に、ベンゼン、石油エーテル、イソパラフィンなどの石油系溶媒を主剤とするものも用いることができる。
【００１１】
尚、水および／またはアルコールを溶媒として用いる場合、香料および蛍光増白染料の溶媒への可溶化を図るため界面活性剤を配合するのが望ましい。界面活性剤としては、例えばアニオン系、カチオン系、ノニオン系のいずれでもよい。また、その配合量は任意であり、香料や蛍光増白染料の種類や量に応じて適宜決定すればよい。
【００１２】
香料は、当該芳香剤組成物に芳香性能を付与するものであり、例えば植物の花、つぼみ、種子、根幹、枝葉など植物から抽出される植物性香料、麝香ムスク、リュウゼン香、海リ香などの動物から得られる動物性香料、あるいは人工的に合成された合成香料などを単独で、あるいは自由に組み合わせて使用することができる。香料の配合量としては任意であるが、好ましくは０．１〜２０重量％である。
【００１３】
蛍光増白染料は、本発明の芳香剤組成物の最大の特徴とする成分であり、これを配合することで、当該芳香剤組成物は、上記香料による芳香性能とともに、光の変化にともなって色調が変化し（色が変わり）、意匠性がより高まることになる。
【００１４】
すなわち、当該芳香剤組成物は容器に収納されて、自動車、室内、トイレなどに置かれるが、日向や日陰、雨の日や晴れの日など、当該芳香剤組成物に当たる光の強弱や照射角度が変化することによって、当該芳香剤組成物中に配合された蛍光増白染料が、照射された光に応じた蛍光を発するため、当該芳香剤組成物の色が光によって様々に変化するようになる。
【００１５】
このような作用効果を有する蛍光増白染料としては、スチルベン染料のブランコホア類のほか、ベンゾイミダゾール類、ベンジジン類などを挙げることができる。蛍光増白染料の配合量としては、特に限定されないが、０．０００１〜５重量％の範囲が望ましい。というのはこの範囲よりも蛍光増白染料が少ないと、十分に強い蛍光が発せられず、蛍光増白染料が上記範囲よりも多い場合には、多く配合した分だけの効果が得られず、不経済となるからである。
【００１６】
本発明の芳香剤組成物における溶媒には、さらに着色剤を配合することもできる。着色剤は、当該芳香剤組成物を美しい色彩に着色するものであり、これを例えば透明な容器に収納させた場合、容器を通して美しく着色された芳香剤組成物を見通すことができ、装飾性がより高まることになる。
【００１７】
また、本発明の芳香剤組成物における溶媒には、さらにゲル化剤を配合することもできる。ゲル化剤の配合により、当該芳香剤組成物はゲル化してゲル状物質として取り扱うことができるようになる。
【００１８】
本発明の芳香剤組成物は、そのまま容器に収納させてもよいが、シリカゲル、ガラスビーズ、繊維または糸、繊維シート（紙、不織布、織物、編物など）、微多孔膜などの基材表面または基材内部に、当該芳香剤組成物を含浸または塗布などの手法により固定させた芳香材という形態とすることもできる。この場合、芳香材は、グラスの中に入れて置いたり、壁面に貼り付けたり、テーブル上に敷いたりするなど、芳香材単独で取り扱うことができる。勿論、この芳香材を容器に収納してもよい。
【００１９】
【実施例】
下記表１に示す処方で配合した５つの芳香剤組成物（実施例１〜５）を作製し、各実施例１〜５の芳香剤組成物について、光による色調変化の有無を調べた。尚、比較として、蛍光増白染料を配合していない芳香剤組成物を作製し、上記各実施例１〜５の芳香剤組成物と同様に光による色調変化の有無を調べた。
【００２０】
2004016625.tif 000002
2004016625.tif 000003
＊尚、実施例１〜４は、水溶性蛍光増白染料を使用し、実施例５については、油性蛍光増白染料を用いた。
【００２１】
表１の結果から、比較例の芳香剤組成物は、光の強さ、照射角度が変化しても、色調変化がなかったのに対し、実施例１〜５の芳香剤組成物は、いずれも光の強さ、照射角度の変化に伴って、照射される光に応じて様々な色に変化し、味わい深く、意匠性に優れるものであった。
【００２２】
【発明の効果】
本発明の芳香剤組成物は、水および／またはアルコール、または石油系溶剤を主剤とする溶媒中に、香料および蛍光増白染料を配合してなるので、芳香剤組成物自体の意匠性を高めて、これを収める容器とともにインテリアとしての装飾性をさらに高めることができる。
【００２３】
また、この芳香剤組成物を基材表面または内部に固定して芳香材という形態とした場合には、グラスの中に入れて置いたり、壁面に貼り付けたり、テーブル上に敷いたりするなど、芳香材単独で取り扱うことができる。